(57)【要約】【課題】本発明は、蓋体の開蓋動作を容易にすることを目的とする。【解決手段】原稿読み取り装置は、読み取る原稿を載置するための原稿載置面を備える筺体と、筺体に回動可能に取り付けられ、原稿載置面と対向する基台部を備える蓋体と、基台部上に配置され、原稿載置面上の原稿を押さえるためのシートと、基台部のシートとの接触面上に形成され、シートに凹凸形状を付す凹凸部と、を備える。【選択図】図２
2009210682.tif 000002
【特許請求の範囲】
【請求項１】
原稿読み取り装置であって、
読み取る原稿を載置するための原稿載置面を備える筺体と、
前記筺体に回動可能に取り付けられ、前記原稿載置面と対向する基台部を備える蓋体と、
前記基台部上に配置され、前記原稿載置面上の原稿を押さえるためのシートと、
前記基台部の前記シートとの接触面上に形成され、前記シートに凹凸形状を付す凹凸部と、を備える原稿読み取り装置。
【請求項２】
請求項１に記載の原稿読み取り装置において、
前記凹凸部は、前記蓋体の回動方向外側に形成されている原稿読み取り装置。
【請求項３】
請求項２に記載の原稿読み取り装置において、
前記凹凸部は、前記接触面の端縁に沿って形成されている原稿読み取り装置。
【請求項４】
請求項１ないし請求項３に記載の原稿読み取り装置において、
前記シートは、長方形状を備え、長手方向が前記蓋体の回動軸線方向と平行になるように前記基台部に配置されている原稿読み取り装置。
【請求項５】
請求項１ないし請求項４に記載の原稿読み取り装置において、
前記凹凸部は、前記基台部上に凸部が形成されることによりなる原稿読み取り装置。
【発明の詳細な説明】
【技術分野】
【０００１】
本発明は、原稿読み取り装置に関する。
【背景技術】
【０００２】
従来から、イメージスキャナや複写機等、装置内部のキャリッジが移動することにより原稿の読み取りをおこなうフラットベッド型の原稿読み取り装置が知られている。このような原稿読み取り装置には、一般的に、原稿載置台に載置された原稿を載置台に押しつけるため、原稿カバー等の蓋体に、原稿押さえが備えられている（特許文献１）。
【０００３】
【特許文献１】特開２００３−７５９４４号公報
【発明の開示】
【発明が解決しようとする課題】
【０００４】
しかし、蓋体に備えられた原稿押さえは、原稿を押さえた際に原稿載置台と密着して開蓋が困難となることがあった。
【０００５】
本発明は、上記した従来の課題の少なくとも一部を解決するためになされた発明であり、蓋体の開蓋動作を容易にすることを目的とする。
【課題を解決するための手段】
【０００６】
上記課題の少なくとも一部を解決するために本願発明は以下の態様を採る。
【０００７】
本発明の第１の態様は、原稿読み取り装置を提供する。本発明の第１の態様に係る原稿読み取り装置は、読み取る原稿を載置するための原稿載置面を備える筺体と、前記筺体に回動可能に取り付けられ、前記原稿載置面と対向する基台部を備える蓋体と、前記基台部上に配置され、前記原稿載置面上の原稿を押さえるためのシートと、前記基台部の前記シートとの接触面上に形成され、前記シートに凹凸形状を付す凹凸部と、を備える。
【０００８】
本発明の第１の態様に係る原稿読み取り装置によれば、凹凸部がシートに凹凸形状を付すため、原稿を押さえた際に、原稿載置面との間に隙間を生じさせることができる。これにより、シートと原稿載置面との密着を抑制し、蓋体の開蓋動作を容易にすることができる。
【０００９】
本発明の第１の態様に係る原稿読み取り装置において、前記凹凸部は、前記蓋体の回動方向外側に形成されていてもよい。この場合、シートと原稿載置面との隙間を蓋体の回動方向外側に形成することができる。これにより、蓋体の開蓋動作時にシートが原稿載置面に密着することを抑制できる。
【００１０】
本発明の第１の態様に係る原稿読み取り装置において、前記凹凸部は、前記接触面の端縁に沿って形成されていてもよい。この場合、接触面の端縁において原稿載置面とシートとの間に隙間を生じさせることができる。これにより、蓋体の開蓋動作を容易にすることができる。
【００１１】
本発明の第１の態様に係る原稿読み取り装置において、前記シートは、長方形状を備え、長手方向が前記蓋体の回動軸線方向と平行になるように前記基台部に配置されていてもよい。この場合、基台部に配置されたシートの長手方向が蓋体の回動軸線方向と平行となる原稿読み取り装置について、蓋体の開蓋動作を容易にすることができる。
【００１２】
本発明の第１の態様に係る原稿読み取り装置において、前記凹凸部は、前記基台部上に凸部が形成されることによりなるものであってもよい。この場合、凸部と基台部によりなる凹凸部により、シートと原稿載置面との密着を抑制し、蓋体の開蓋動作を容易にすることができる。
【００１３】
本発明は、上記以外の種々の態様で、実現可能であり、例えば、原稿押さえを備えるスキャナ、複写機、ファクシミリ等のほかに、原稿読み取り装置を備えた複合機などの形態で実現することが可能である。
【発明を実施するための最良の形態】
【００１４】
以下、本発明に係る原稿読み取り装置であるスキャナについて、図面を参照しつつ、実施例に基づいて説明する。
【００１５】
Ａ．第１の実施例
Ａ１．装置の構成：
図１は、第１の実施例におけるスキャナの外観を例示した説明図である。スキャナ１０は、読み取り対象物を光学的に読み取り、画像データを出力する。本実施例のスキャナ１０は、いわゆるフラットベッド型のスキャナである。スキャナ１０は、ケース１１０と、原稿載置板１２０と、原稿カバー１３０と、を備える。
【００１６】
ケース１１０は略筺形状を備え、内部には後述する種々の装置を格納している。ケース１１０は、上面に支持部１６０を備える。支持部１６０は枠形状を備え、原稿載置板１２０が嵌め込まれている。原稿載置板１２０は、長方形状の平板であり、長手方向が後述する原稿カバー１３０の回動軸線方向と平行となるように支持部１６０より支持されている。原稿載置板１２０は、例えば、透明なガラス板やプラスチック板により形成されている。
【００１７】
原稿カバー１３０は、ケース１１０の上面と対応した長方形状の外形を備え、ヒンジ１４０を介してケース１１０に回動可能に取り付けられている。具体的には、原稿カバー１３０の長手方向（後述するＸ方向）とケース１１０の長手方向（後述する副走査方向）と原稿カバー１３０の回動軸線方向とがそれぞれ平行になるように取り付けられている。原稿カバー１３０は、スキャナ１０において開閉自在の蓋体として機能し、閉蓋時において原稿載置板１２０を覆うように配置されている。原稿カバー１３０は、閉蓋時に原稿載置板１２０に対向する位置に原稿押さえ１３１を備えている。
【００１８】
原稿押さえ１３１は、原稿載置板１２０と同形状に形成され、閉蓋時に原稿載置板１２０上に載置された原稿を上から押さえる。本実施例において、原稿押さえ１３１は原稿カバー１３０と一体的に形成されているが、別個に形成されたものであってもよい。また、原稿カバー１３０と原稿押さえ１３１が異なる材料により形成されていてもよい。原稿押さえ１３１は特許請求の範囲における「基台部」に該当する。
【００１９】
原稿押さえ１３１は、閉蓋時に原稿を押さえる面に、原稿載置板１２０と同形でシート状の押さえシート１５０が配置されている。押さえシート１５０は、例えば、略白色に着色された樹脂製のシート、もしくは紙等により作製することができる。原稿押さえ１３１および押さえシート１５０は、長手方向が原稿カバー１３０の回動軸線方向と平行になるようにそれぞれ配置されている。このスキャナ１０は、原稿載置板１２０上に配置された原稿に押さえシート１５０が接触した状態で原稿押さえ１３１により原稿を上から押しつけることで、原稿を原稿載置板１２０に密着させることができる。
【００２０】
Ａ２．原稿押さえの詳細構成：
図２は、原稿押さえおよび押さえシートを例示した説明図である。図２は、ケース１１０の図示を省略し、原稿カバー１３０において原稿押さえ１３１が上側になるように示されている。
【００２１】
ここで、図２に示す原稿カバー１３０の長手方向を「Ｘ方向」と呼び、Ｘ方向と直交する原稿カバー１３０の短辺方向を「Ｙ方向」と呼ぶ。さらに、Ｘ方向およびＹ方向と直交する原稿カバー１３０の厚み方向を「Ｚ方向」と呼ぶ。また、原稿カバー１３０の短辺方向（Ｙ方向）において、ヒンジ１４０側（回動方向内側）を「原稿カバー基端側」、その反対側（回動方向外側）を「原稿カバー先端側」と呼ぶ。
【００２２】
図２に示すように、原稿押さえ１３１は、押さえシート１５０と接触する接触面１３１ａ上に複数の凸部１３２を備えている。凸部１３２は、扁平な略直方体形状を有し、等間隔で一列に配置されている。これにより、接触面１３１ａには、端縁に沿った凸凹領域が形成されている。凸凹領域は、接触面１３１ａの原稿カバー先端側に形成された端縁に沿って形成されている。本実施例において、凸部１３２は原稿押さえ１３１と一体的に形成されているが、別個に形成されたものであってもよい。また、凸部１３２と原稿押さえ１３１が異なる材料により形成されていてもよい。
【００２３】
図３は、閉蓋時の原稿カバーのＸ方向断面の一部を例示した説明図である。図に示すように、凹凸領域上の押さえシート１５０には凹凸形状が形成されるため、原稿カバー１３０の閉蓋時には、原稿載置板１２０と押さえシート１５０は完全に密着せず、一部に隙間ＡＧが生じる。
【００２４】
押さえシート１５０と原稿載置板１２０が接触している閉蓋状態から、開蓋動作をおこなうと、開蓋動作により押さえシート１５０と原稿載置板１２０との間に空間が形成される。このとき、この空間と外部とは隙間ＡＧにより連通した状態となるため、この空間に外部から空気を流入させることができる。これにより、空間への空気の流入が困難な場合に生じる負圧状態を低減でき、負圧の発生に伴い生じる押さえシート１５０の原稿載置板１２０との吸着を軽減させることができる。ここで負圧とは大気より気圧が低いことをいう。
【００２５】
Ａ３．装置の内部機構：
図４は、スキャナの内部を例示した説明図である。図５に示すように、スキャナ１０は、ケース１１０の内部にキャリッジ３００と、ガイドレール２１０と、タイミングベルト２２２と、ステッピングモータ２２６と、フラットケーブル２４０と、制御部２３０と、電源ユニット２５０と、を備える。
【００２６】
キャリッジ３００は、ガイドレール２１０に摺動可能に取り付けられ、ステッピングモータ２２６の回転駆動をタイミングベルト２２２が伝達することで副走査方向に往復移動する。キャリッジ３００はこの往復移動により原稿載置板１２０上の原稿を読み取り、フラットケーブル２４０を介して制御部２３０に読み取った画像データを伝達する。キャリッジ３００は、密着型と呼ばれるものであってもよいし、縮小光学系とよばれるものであってもよい。電源ユニット２５０は、スキャナ１０の動作のための電源を供給する。
【００２７】
以上の第１の実施例に係る原稿読み取り装置によれば、接触面１３１ａの凹凸領域が押さえシート１５０に凹凸形状を形成するため、閉蓋時に、押さえシート１５０と原稿載置板１２０との間に隙間ＡＧを生じさせることができる。これにより、押さえシート１５０と原稿載置板１２０との密着を抑制し、原稿カバー１３０の開蓋動作を容易にすることができる。
【００２８】
第１の実施例に係る原稿読み取り装置によれば、凹凸領域は接触面１３１ａのカバー先端側に形成された端縁に沿って形成されている。このため、原稿カバー１３０の開蓋動作により凹凸領域により形成された隙間から押さえシート１５０と原稿載置板１２０との間に容易に空気を流入させることができ、原稿カバー１３０の開蓋動作を容易にすることができる。
【００２９】
第１の実施例に係る原稿読み取り装置によれば、押さえシート１５０の長手方向が原稿カバー１３０の回動軸線方向と平行となるスキャナ１０についても原稿カバー１３０の開蓋動作を容易にすることができる。具体的には、押さえシート１５０の長手方向が回動軸線方向と平行に配置された蓋体は、押さえシート１５０の短手方向が回動軸線方向と平行に配置された蓋体に比べ、開蓋動作により、押さえシート１５０と原稿載置板１２０との間に負圧が生じやすく、押さえシート１５０が原稿載置板１２０と吸着しやすい。しかし、本実施例によれば、押さえシート１５０と原稿載置板１２０との間に隙間ＡＧにより外部から空気を流入させることができるため、原稿カバー１３０の開蓋動作を容易にすることができる。
【００３０】
Ｂ．第２の実施例
Ｂ１．装置の構成：
図５は、第２の実施例におけるスキャナの外観を例示した説明図である。第２の実施例では、第１の実施例における原稿押さえ１３１の代わりに着脱可能な原稿押さえマットを備えたスキャナ１０について説明する。第２の実施例において、第１の実施例と同一の符号を付した構成要素は、第１の実施例の構成要素と同一の機能を備える。
【００３１】
図５に示すように、スキャナ１０は、ケース１１０と、原稿載置板１２０と、原稿カバー１３０と、を備える。原稿カバー１３０は、図示しない透過原稿用光源装置を備えている。また、原稿カバー１３０は、閉蓋時に原稿載置板１２０に対向する位置に原稿押さえマット１７０を備えている。
【００３２】
原稿押さえマット１７０は、略矩形の板形状を有し、短辺側の端面には、板状の被係止部１７５を備える。原稿押さえマット１７０は、被係止部１７５を原稿カバー１３０に備えられた係止部１３５に係止させることにより、原稿カバー１３０に固定される。原稿押さえマット１７０は、原稿カバー１３０に固定された際に、原稿載置板１２０と対向する面に押さえシート１５０を備える。原稿押さえマット１７０において、押さえシート１５０が配置される面を「対向面」と呼ぶ。
【００３３】
図６は原稿押さえマットを例示した説明図である。原稿押さえマット１７０は、さらに、段部１７１と凸部１７２と開口縁１７３とを備える。段部１７１は、原稿押さえマット１７０の対向面上において、原稿載置板１２０と略同形状の原稿押さえ面１７１ａを形成する。凸部１７２は原稿押さえ面１７１ａ上において、第１の実施例における凸部１３２と同じ機能を有している。開口縁１７３は原稿押さえマット１７０の原稿押さえ面１７１ａに開口部を形成する。
【００３４】
押さえシート１５０は、凸部１７２により形成された凹凸領域を含む原稿押さえ面１７１ａ上に貼り付けられている。押さえシート１５０は、端縁が原稿押さえ面１７１ａの端縁と重なるような形状を備え、開口縁１７３により形成された開口部を覆うようにして原稿押さえ面１７１ａに貼り付けられている。
【００３５】
以上の第２の実施例に係る原稿読み取り装置によれば、凸部を有する原稿押さえが着脱可能なものであっても、開蓋時に押さえシート１５０と原稿載置板１２０との密着を抑制することができ、原稿カバー１３０の開蓋動作を容易にすることができる。
【００３６】
第２の実施例に係る原稿読み取り装置によれば、原稿押さえマット１７０は開口縁１７３により形成された開口部を備えている。これにより、押さえシート１５０は原稿載置板１２０上の原稿と密着することができる。
【００３７】
Ｃ．変形例：
図７は、変形例に係る原稿カバーおよび押さえシートを例示した説明図である。本実施例では、凹凸領域は、接触面１３１ａに凸部を配置することにより形成されているが、図７に示すように、接触面１３１ａに凹部１３３を配置することにより凹凸領域を形成してもよい。
【００３８】
本実施例では、原稿カバー１３０は長手方向が回動軸線方向と平行となるようにケース１１０に取り付けられているが、短手方向が回動軸線方向と平行となるように取り付けられてもよい。
【００３９】
本実施例では、原稿カバー１３０は、押さえシート１５０の長手方向が回動軸線方向と平行となるようにケース１１０に取り付けられているが、押さえシート１５０の短手方向が回動軸線方向と平行にとなるように取り付けられてもよい。
【００４０】
本実施例では、凸部は扁平な略直方体形状を有しているが、扁平な円柱形状等、その他の形状であってもよい。
【００４１】
本実施例では、押さえシート１５０は原稿載置板１２０と同形状に形成されているが、端部が接触面１３１ａから延伸するように形成されていてもよい。
【００４２】
本実施例におけるスキャナ１０はスキャナ専用機であるが、これに限らず、スキャナとプリンタなどの複数の機能が一体となった多機能デバイス、コピー機、ファクシミリ等における原稿押さえにも、本発明を適用することができる。
【００４３】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【図面の簡単な説明】
【００４４】
【図１】第１の実施例におけるスキャナの外観を例示した説明図である。
【図２】原稿押さえおよび押さえシートを例示した説明図である。
【図３】閉蓋時の原稿カバーのＸ方向断面の一部を例示した説明図である。
【図４】スキャナの内部を例示した説明図である。
【図５】第２の実施例におけるスキャナの外観を例示した説明図である。
【図６】原稿押さえマットを例示した説明図である。
【図７】変形例に係る原稿カバーおよび押さえシートを例示した説明図である。
【符号の説明】
【００４５】
１０…スキャナ
１１０…ケース
１２０…原稿載置板
１３０…原稿カバー
１３１…原稿押さえ
１３２，１７２…凸部
１３３…凹部
１４０…ヒンジ
１５０…押さえシート
１７０…原稿押さえマット
２１０…ガイドレール
２３０…制御部
２４０…フラットケーブル
２５０…電源ユニット
３００…キャリッジ
【図１】
2009210682.tif 000003
【図２】
2009210682.tif 000004
【図３】
2009210682.tif 000005
【図４】
2009210682.tif 000006
【図５】
2009210682.tif 000007
【図６】
2009210682.tif 000008
【図７】
2009210682.tif 000009